【事件の表示】
　特許第２９２１７６８号「洗浄剤組成物」の請求項１，２に係る特許に対する特許異議の申立てについて、次のとおり決定する。
【結　論】
　訂正を認める。
　特許第２９２１７６８号の請求項１に係る特許を維持する。
【理　由】
１．手続の経緯
　
　特許第２９２１７６８号の請求項１及び２に係る発明の出願は、平成２年１２月２８日に特許出願され、平成１１年４月３０日にその特許権の設定登録がなされ、その後、日本香料工業会、須田武より特許異議の申立てがなされ、取消しの理由が通知され、その指定期間内である平成１２年８月２４日に訂正請求がなされたものである。
　
２．訂正の適否についての判断
　
(1)訂正の内容
　
　特許権者が求めている訂正の内容は、以下の、ａ〜ｅのとおりである。
　
訂正事項ａ
　特許請求の範囲の請求項１について、
（ａ−１）「香料成分（Ｂ）と共に、」を「界面活性剤０．０１〜１．０重量％、溶剤０．１〜２０．０重量％及び揮発性アルカリ剤０．０１〜１０．０重量％を含有する、洗浄後の二度拭きの必要のない硬質表面洗浄剤組成物［但し１０ｃｐ以上（２５℃）に増粘された洗浄剤組成物を除く］であって、香料成分（Ｂ）と共に、」に、
（ａ−２）「香料可溶化剤（Ａ）を含むことを特徴とする」を「香料可溶化剤（Ａ）を含み、（Ａ）成分と（Ｂ）成分との重量比［（Ａ）／（Ｂ）］が１０／９０〜９５／５の範囲にあり、且つ（Ａ）成分と（Ｂ）成分との合計配合量が０．０１〜１．００重量％であることを特徴とする」に、
訂正する。
訂正事項ｂ
　特許請求の範囲の請求項２を削除する。
訂正事項ｃ
　発明の詳細な説明の記載について、段落番号【0006】（以下段落番号を、単に【・・】で表す。）の
（ｃ−１）「香料成分（Ｂ）と共に、」を「界面活性剤０．０１〜１．０重量％、溶剤０．１〜２０．０重量％及び揮発性アルカリ剤０．０１〜１０．０重量％を含有する、洗浄後の二度拭きの必要のない硬質表面洗浄剤組成物［但し１０ｃｐ以上（２５℃）に増粘された洗浄剤組成物を除く］であって、香料成分（Ｂ）と共に、」に、
（ｃ−２）「香料可溶化剤（Ａ）を含むことを特徴とする」を「香料可溶化剤（Ａ）を含み、（Ａ）成分と（Ｂ）成分との重量比［（Ａ）／（Ｂ）］が１０／９０〜９５／５の範囲にあり、且つ（Ａ）成分と（Ｂ）成分との合計配合量が０．０１〜１．００重量％であることを特徴とする」に、
訂正する。
訂正事項ｄ
　発明の詳細な説明の記載について、【0016】の「（Ａ）成分と（Ｂ）成分との重量比［（Ａ）／（Ｂ）］が好ましくは１０／９０〜９５／５、」を「（Ａ）成分と（Ｂ）成分との重量比［（Ａ）／（Ｂ）］が１０／９０〜９５／５、」に、「上記（Ａ）成分と上記（Ｂ）成分との合計配合量が好ましくは０．０１〜１．００重量％、」を「上記（Ａ）成分と上記（Ｂ）成分との合計配合量が０．０１〜１．００重量％、」に、訂正する。
訂正事項ｅ
　発明の詳細な説明の記載について、【0025】の「上記アルカリ剤としては、公知のいかなるものでも使用可能であるが、表面に対する後残りの問題から揮発性のものがよく、例えば、」を「上記アルカリ剤としては、表面に対する後残りの問題から揮発性のものが用いられ、例えば、」に訂正する。
　
(2)訂正の目的の適否、新規事項の有無及び特許請求の範囲の拡張・変更の存否
　
　上記訂正事項ａの（ａ−１）に関連する記載として、願書に添付した明細書（以下、「特許明細書」という）の発明の詳細な説明の、【0023】に「界面活性剤の配合量は、０．０１〜１．０重量％が適当であり、」と記載され、【0024】に「溶剤としては・・・（略）・・・が挙げられ、その配合量は、０．１〜２０．０重量％が適当であり、」と記載され、【0025】に「アルカリ剤としては・・・（略）・・・揮発性のものがよく、・・・（略）・・・が挙げられ、その配合量は、０．０１〜１０．０重量％が適当であり、」と記載され、【0027】に「硬質表面洗浄剤などの洗浄剤として利用」と記載され、【0029】に「洗浄後の二度拭きの必要がない。」と記載されており、上記訂正事項ａの（ａ−２）に関する記載としては、【0016】に「（Ａ）成分と（Ｂ）成分との重量比［（Ａ）／（Ｂ）］が好ましくは１０／９０〜９５／５、・・・（略）・・・上記（Ａ）成分と上記（Ｂ）成分との合計配合量が好ましくは０．０１〜１．００重量％、」と記載されている。また、上記（ａ−１）の［但し１０ｃｐ・・・（略）・・・を除く］は、いわゆる「除くクレーム」であることから、新規事項には該当しない。
　そうすると、上記訂正事項ａは、特許明細書に記載された事項の範囲内において、洗浄剤組成物について限定したものといえるから、特許請求の範囲の減縮を目的とした明細書の訂正に該当するものであって、新規事項の追加に該当せず、また、実質上特許請求の範囲を拡張し、又は変更するものではない。
　上記訂正事項ｂは、請求項の削除であるから、特許請求の範囲の減縮を目的とした明細書の訂正に該当するものであって、新規事項の追加に該当せず、また、実質上特許請求の範囲を拡張し、又は変更するものではない。
　また、上記訂正事項ｃ〜ｅは、特許請求の範囲の訂正に伴い、特許請求の範囲の記載と発明の詳細な説明の記載との整合性を図るために、明りょうでない記載の釈明を目的とする明細書の訂正に該当するものであって、新規事項の追加に該当せず、また、実質上特許請求の範囲を拡張し、又は変更するものではない。
　
(3)むすび
　
　したがって、上記訂正は、特許法第１２０条の４第２項及び同条第３項で準用する第１２６条第２項及び第３項の規定に適合するので、当該訂正を認める。
　
３．特許異議申立てについての判断
　
(1)申立ての理由の概要
　
　申立人日本香料工業会は、甲第１〜６号証（甲第１号証：特開平1-104003号公報、甲第２号証：特開昭60-245699号公報、甲第３号証：特開昭48-80607号公報、甲第４号証：「塩野香料商報」、Ｎｏ．129、第２〜５頁、塩野香料株式会社、（1954.7.1）、甲第５号証：「高砂香料時報」、第３１号、第18〜22頁、高砂香料工業株式会社、甲第６号証：「特許庁公報、周知・慣用技術集（衣料用粉末洗剤）」、第41頁、（Ｈ10.3.26））を提出し、本件の請求項１及び２に係る発明は、甲第１〜６号証に記載された発明であるから、特許法第２９条第１項第３号に規定する発明に該当し、あるいは、甲第１〜６号証に記載された発明に基づいて当業者が容易に発明をすることができたものであるから、特許法第２９条第２項の規定により特許を受けることができないものであるから、本件特許を取り消すべきと主張している。
　また、申立人須田武は、甲第１〜２６号証（甲第１号証：特開昭48-80607号公報、甲第２号証：特開平1-104003号公報、甲第３号証：特開昭60-245699号公報、甲第４号証：特開平2-173200号公報、甲第５号証：ＵＳＰ3876551、甲第６号証：奥田治著、「香料化学総覧」、第664-667頁、廣川書店、（昭和47.2.15）、甲第７号証：Brit．1277135、（1972.3.7）の要約、甲第８号証：特開昭60-23498号公報、甲第９号証：特開昭63-275697号公報、甲第10号証：特開昭62-205199号公報、甲第11号証：特開昭62-205200号公報、甲第12号証：特開昭62-109900号公報、甲第13号証：特開昭61-56121号公報、甲第14号証：有機合成化学協会編、「溶剤ポケットブック」、第506-507頁、株式会社オーム社、（昭和52.9.30）、甲第15号証：赤星亮一著、「香料の化学」、第138-140頁、大日本図書株式会社、（昭和58.9.16）、甲第16号証：STEFFEN ARCTANDER　著、「Perfume　and　Flavor　Chemicals」、項目番号989,1040,1043,1223,1917,2175,2520,2541,2669、（1969年）、甲第17号証：印藤元一著、「香料の実際知識」、第85〜89、159〜160、175〜184頁、東洋経済新報社、（昭和50.3.25）、甲第18号証：特開昭53-56203号公報、甲第19号証：特開昭63-309594号公報、甲第20号証：特開昭57-85897号公報、甲第21号証：特開昭62-72800号公報、甲第22号証：特開昭58-21495号公報、甲第23号証：特開昭63-68698号公報、甲第24号証：特開平1-185400号公報、甲第25号証：特公平2-56400号公報、甲第26号証：特願平1-279285号（特開平3-140387号公報参照））を提出し、本件請求項１及び２に係る発明は、甲第１〜12号証に記載された発明であるから、特許法第２９条第１項第３号に規定する発明に該当し、特許を受けることができないものである旨、あるいは、甲第１〜12号証に記載された発明に基づいて、または、甲第１〜17号証に記載された発明に基づいて、または、甲第18〜23号証に記載された発明に基づいて、または、甲第３〜25号証に記載された発明に基づいて、当業者が容易に発明をすることができたものであるから、特許法第２９条第２項の規定により特許を受けることができないものである旨、また、本件請求項１及び２に係る発明は、先願明細書に記載された発明である甲第26号証に記載の発明と同一であるから、特許法第２９条の２の規定により特許を受けることができないものである旨、さらに、本件明細書の記載は不備であるから、当業者が容易に実施をできる程度に記載されておらず、また、その特許請求の範囲にも発明の構成に欠くことができない事項が記載されておらず、特許法第３６条第３項又は第４項の規定に違反してなされたものであるから、したがって、本件の請求項１、２に係る発明の特許は取り消されるべき旨、主張している。
　
(2)本件の請求項１に係る発明
　
　２．(3)に示したように上記訂正が認められるから、本件の請求項１に係る発明（以下、「本件発明」という。）は、上記訂正請求に係る訂正明細書の特許請求の範囲の請求項１に記載された次のとおりのものである。
　
「【請求項１】界面活性剤０．０１〜１．０重量％、溶剤０．１〜２０．０重量％及び揮発性アルカリ剤０．０１〜１０．０重量％を含有する、洗浄後の二度拭きの必要のない硬質表面洗浄剤組成物［但し１０ｃｐ以上（２５℃）に増粘された洗浄剤組成物を除く］であって、香料成分（Ｂ）と共に、下記化２で表される炭素数７〜１１のフェノキシ直鎖アルキルアルコール及び下記化３で表される炭素数８〜１８の芳香族アルコールからなる群から選択される一種又は二種以上の香料可溶化剤（Ａ）を含み、（Ａ）成分と（Ｂ）成分との重量比［（Ａ）／（Ｂ）］が１０／９０〜９５／５の範囲にあり、且つ（Ａ）成分と（Ｂ）成分との合計配合量が０．０１〜１．００重量％であることを特徴とする洗浄剤組成物。」
（化２及び化３の化学構造式は略。）
　
(3)刊行物等に記載された発明
　
(i)当審で通知した取消理由で引用した先願明細書（特願平1-279285号（特開平3-140387号公報参照）：特許異議申立人須田武の提出した甲第26号証）には、以下のことが記載されている。
「１．一般式(I)で表されるフェノキシアルコールを含有する粘度低下防止剤。
　２．一般式(I)で表されるフェノキシアルコールを含有する、約１０ｃｐ以上に増粘された液体漂白剤組成物又は液体洗浄剤組成物。」（特許請求の範囲参照）
　
(ii)当審で通知した取消理由で引用した刊行物１〜22には、以下のことが記載されている。
　刊行物１（特開昭48-80607号公報：特許異議申立人須田武の提出した甲第１号証、特許異議申立人日本香料工業会の提出した甲第３号証）には、「界面活性剤とフェニルメチルカルビノール等の有機溶媒を含有する非苛性アルカリ性水性洗剤組成物」（特許請求の範囲、実施例３等参照）が記載されている。
　刊行物２（特開平1-104003号公報：特許異議申立人須田武の提出した甲第２号証、特許異議申立人日本香料工業会の提出した甲第１号証）には、「クロルヘキシジン塩と芳香族アルコールと表面活性剤を含む殺菌性組成物」（特許請求の範囲参照）が記載されており、ここで芳香族アルコールはクロルヘキシジンの保存のために用いられている。
　刊行物３（特開昭60-245699号公報：特許異議申立人須田武の提出した甲第３号証、特許異議申立人日本香料工業会の提出した甲第２号証）には、「界面活性剤と特定の香料を含む漂白性洗浄剤組成物」（特許請求の範囲参照）が記載され、その実施例２として「界面活性剤２５重量％と特定の香料とジメチルベンジルカルビトールを含む」ものが記載されている。
　刊行物４（特開平2-173200号公報：特許異議申立人須田武の提出した甲第４号証）には、「ジメチルベンジルカルビノールを香料として含むセッケン組成物」（実施例12〜14）が記載されている。
　刊行物５（ＵＳＰ3876551：同甲第５号証）には、「ジメチルベンジルカルビノールを配合香料成分として含有する液体漂白組成物」（実施例４等）が記載されている。
　刊行物６（奥田治著、「香料化学総覧」、第664-667頁、廣川書店、（昭和47.2.15）：同甲第６号証）には、フェニルカルビノール類が香料の用途に用いられる旨、記載されている。
　刊行物７（Brit．1277135、（1972.3.7）の要約：同甲第７号証）には、ジメチルベンジルカルビノールを配合香料成分として含有する洗剤組成物が記載されている。
　刊行物８（特開昭60-23498号公報：同甲第８号証）には、「フェノール系香料とアルデヒド系香料を含有する酵素含有漂白剤組成物」（特許請求の範囲）が記載されている。
　刊行物９（特開昭63-275697号公報：同甲第９号証）には、「フェノール系香料とアルデヒド系香料を含有する酵素含有漂白剤組成物」（特許請求の範囲）が記載されている。
　刊行物10（特開昭62-205199号公報：同甲第10号証）には、「フェニルメチルカルビノール等の油性化合物と界面活性剤を含有する液体漂白剤組成物」（特許請求の範囲）が記載されており、該油性化合物は酸素を捕捉して安定化させるために用いられている。
　刊行物11（特開昭62-205200号公報：同甲第11号証）には、「香料と界面活性剤と次亜塩素酸ナトリウムを含有する芳香性液体漂白剤組成物」（特許請求の範囲）が記載されており、配合香料成分としてフェニルエチルジメチルカルビノールを含む例（実施例２）が記載されている。
　刊行物12（特開昭62-109900号公報：同甲第12号証）には、「配合香料成分であるｐ−トルイルジメチルカルビノールと界面活性剤と次亜塩素酸ナトリウムを含有する芳香性液体漂白剤組成物」（特許請求の範囲）が記載されている。
　刊行物13（特開昭61-56121号公報：同甲第13号証）には、「フェノキシエチルアルコール等の芳香族アルコールと香料物質を含有する疎水ゲル状芳香性組成物」（特許請求の範囲）が記載されており、芳香族アルコールはゲル化溶媒として用いられている。
　刊行物14（有機合成化学協会編、「溶剤ポケットブック」、第506-507頁、株式会社オーム社、（昭和52.9.30）：同甲第14号証）には、エチレングリコールモノフェニルエーテルが香料保留剤として用いられることが記載されている。
　刊行物15（赤星亮一著、「香料の化学」、第138-140頁、大日本図書株式会社、（昭和58.9.16）：同第15号証）には、カルビノール等が香料、香料保留剤に用いられることが記載されている。
　刊行物16（STEFFEN ARCTANDER　著、「Perfume　and　Flavor　Chemicals」、項目番号989,1040,1043,1223,1917,2175,2520,2541,2669、（1969年）：同第16号証）には、カルビノール等が香料に用いられることが記載されている。
　刊行物17（印藤元一著、「香料の実際知識」第85〜89、159〜160、175〜184頁、東洋経済新報社、（昭和50.3.25）：同第17号証）には、カルビノール等が香料、保留剤に用いられることが記載されている。
　刊行物18（特開昭53-56203号公報：同甲第18号証）には、「非イオン界面活性剤とアルカノールアミンとグリコールエーテルと低級アルコールとジメチルポリシロキサンと噴射剤とバランス量の水とからなるエアゾール型清浄剤組成物」（特許請求の範囲）が記載されており、これは拭き取りに用いられ拭き染みの良好なものであること（実施例１〜５）が記載されている。
　刊行物19（特開昭63-309594号公報：同第19号証）には、「特定の界面活性剤を用いた家庭用クリーナー組成物」（特許請求の範囲）が記載されており、拭きムラの少ないもの（実施例）が得られている。
　刊行物20（特開昭57-85897号公報：同甲第20号証）には、「２種の有機溶媒、２種の表面活性剤、アルカリ−金属ポリ燐酸塩、易揮発性アルカリ性物質、残余分の水から成る硬質表面清浄剤組成物」（特許請求の範囲）が記載されており、拭き取りに用いられること、また、香料と非イオン系界面活性剤である香料用溶解補助剤とを含む例（実施例３等）が記載されている。
　刊行物21（特開昭63-68698号公報：同甲第23号証）には、「界面活性剤とアルカリ剤と溶剤を含有するガラス洗浄剤組成物」（特許請求の範囲）が記載されている。
　刊行物22（特開平1-185400号公報：同甲第24号証）には、「アルカリ性粉末洗剤の賦香方法」（特許請求の範囲）が記載されており、ジメチルベンジルカルビノールが例示されている。
　
(iii)当審で通知した取消理由で引用されなかった異議証拠には、以下のことが記載されている。
　証拠ア（特開昭62-72800号公報：特許異議申立人須田武の提出した甲第21号証）には、特定の組成の硬質表面清浄剤が記載されている。
　証拠イ（特開昭58-21495号公報：同甲第22号証）には、特定の組成のガラスクリーナーが記載されている。
　証拠ウ（特公平2-56400号公報：同第25号証）には、エチレングリコールモノアリールエーテルの芳香性を増強する方法が記載されている。
　証拠エ（「塩野香料商報」、Ｎｏ．129、第２〜５頁、塩野香料株式会社、（1954.7.1）：特許異議申立人日本香料工業会の提出した甲第４号証）には、カルビノール類について記載されている。
　証拠オ（「高砂香料時報」、第３１号、第18〜22頁、高砂香料工業株式会社：同第５号証）には、フェノキシエチルアルコールについて記載されている。
　証拠カ（「特許庁公報、周知・慣用技術集（衣料用粉末洗剤）」、第41頁、（Ｈ10.3.26）：同第６号証）には、洗剤への香料の配合量が記載されている。
　
(4)対比・判断
　
(i)特許法第２９条の２について
　
　先願明細書の特許請求の範囲の請求項２には、「一般式（Ｉ）で表されるフェノキシアルコールを含有する液体洗浄剤組成物」が記載されており、該フェノキシアルコールは、本件発明の「化２で表される炭素数７〜１１のフェノキシ直鎖アルキルアルコール」と一致する。しかしながら、先願明細書に記載された液体洗浄剤組成物は「約１０ｃｐ以上に増粘された」ものであって、本件訂正後の発明の、「但し１０ｃｐ以上（２５℃）に増粘された洗浄剤組成物を除く」ものとは明らかに相違しており、一致する範囲がない。
　したがって、本件発明は、先願明細書に記載された発明と同一ではない。
　
(ii)特許法第２９条第１項について
　
　取消理由通知で引用した、刊行物３，５，10〜13には、本件の請求項１に記載されている「化２で表される炭素数７〜１１のフェノキシ直鎖アルキルアルコール及び化３で表される炭素数８〜１８の芳香族アルコールからなる群から選択される一種又は二種以上のアルコール」（以下、「化２で表される炭素数７〜１１のフェノキシ直鎖アルキルアルコール及び化３で表される炭素数８〜１８の芳香族アルコールからなる群から選択される一種又は二種以上のアルコール」を「アルコールＡ」という。）を含有する組成が記載されている。
　しかしながら、刊行物３，５，10〜12に記載された発明は、いずれも、漂白洗浄組成物に関するものであって、「洗浄後の二度拭きの必要のない硬質表面洗浄剤組成物」ではない。しかも、刊行物３に記載された発明においては、界面活性剤の使用量は特に記載されていないが、その実施例２においては２５重量％用いられており、本件発明におけるものと大きく異なっており、また、刊行物３，５，10〜12に記載された発明は、揮発性アルカリ剤を含有していない。
　他方、刊行物13に記載された発明は、疎水ゲル状芳香性組成物に関するものであって、「洗浄後の二度拭きの必要のない硬質表面洗浄剤組成物」ではなく、また、界面活性剤を用いるものでもない。
　そうしてみると、刊行物３，５，10〜13には、本件発明は記載されていない。
　また、証拠ア〜カにも、本件発明は記載されていない。
　
(iii)特許法第２９条第２項について
　
　本件発明は、洗浄後の二度拭きの必要のない硬質表面洗浄剤組成物であって、界面活性剤等の洗浄成分の配合量が少なくても、香料成分が完全に溶解し、臭いをマスキングするのに十分な強さの香りを発現させるために、アルコールＡを特定割合で含有する点に特徴を有するものであるが、取消理由通知中に引用した刊行物１〜２２には、この点について記載も示唆もされておらず、また、これらの刊行物に記載された事項を組み合わせることの示唆もない。
　さらに詳しく検討すると、刊行物18〜20に記載された発明は、本件発明と同様に拭き取りのための洗浄剤であって、界面活性剤、溶剤、揮発性アルカリ剤を含んでおり、その含有割合も本件発明のそれと重複する。そして任意成分として香料も含むものであるが、この香料を完全に溶解させ、かつ、十分な強さの香りを得るための処方は記載も示唆もされていない。唯一刊行物20に、「香料用の溶解補助剤を含む」旨（第５頁左下欄下から６行参照）、記載されているが、該溶解補助剤として非イオン系表面活性剤が例示されているのみで、アルコールＡについては記載も示唆もされていない。
　一方、刊行物１〜17及び22には、アルコールＡは記載されているものの、これは、それ自体香料として（刊行物３〜９，11，12，15〜17，22）、香料保留剤として（刊行物14，15，17）、溶媒として（刊行物１，13）、保存剤として（刊行物２）、酸素捕捉剤として（刊行物10）の使用が開示されるのみであって、これを拭き取りのための洗浄剤に使用するということは記載も示唆もされていない。また、刊行物21には、アルコールＡに関する記載がない。
　そうしてみると、刊行物18〜20に記載された発明に、刊行物１〜17あるいは21〜22に記載された発明を組み合わせることが当業者にとって自明ではなく、また、例え組み合わせたとしても、本件発明で特定しているような、アルコールＡに関しての配合量や配合割合を求めることは容易ではない。証拠ア〜カの記載を組み合わせても、同様に容易ではない。
　以上のとおりであるから、本件発明は刊行物１〜22に記載された発明に基づいて当業者が容易に発明をすることができたものとはいえず、さらに、証拠ア〜カに記載された発明を合わせ考慮しても、容易に発明をすることができたものとはいえない。
　
(iv)特許法第３６条について
　
　本件発明の明細書の【0006】には「香料成分（Ｂ）と共に、下記化５（化２と同じ）で表される・・・及び下記化６（化３と同じ）で表される・・・からなる群から選択される一種又は二種以上の香料可溶化剤（Ａ）を含む」と記載され、【0027】には、本件発明の洗浄剤組成物は常法に従って製造できること、【0032】には、【0033】に記載された具体的組成の洗浄剤組成物を常法により調製した旨、記載されている。
　これらの記載からすると、化２で表されるアルコールと化３で表されるアルコールとは、本件発明の洗浄剤組成物においては同等のものと解すべきであって、その効果も同等であることは、特許異議意見書に参考資料１として添付された実験例からも裏付けられるところである。
　そうしてみると、本件発明の明細書は、当業者が容易に実施をできる程度に記載されており、また、その特許請求の範囲にも発明の構成に欠くことができない事項が記載されているものと認められ、本件発明の明細書の記載に不備はない。
　
(5)むすび
　
　よって、本件発明についての特許は、特許法第２９条の２、同法第２９条第１項、同法第２９条第２項の規定に違反してされたものとも、同法第３６条に規定する要件を満たしていない特許出願に対してされたものとも、することはできない。
　
４．むすび
　
　以上のとおりであるから、特許異議申立ての理由及び証拠によっては、本件発明についての特許を取り消すことはできない。
　また、他に本件発明についての特許を取り消すべき理由を発見しない。
　よって、結論のとおり決定する。
【異議決定日】
平成１３年７月１１日（２００１．７．１１）
【訂正の要旨】
訂正事項ａ
　特許請求の範囲の請求項１について、
（ａ−１）「香料成分（Ｂ）と共に、」を「界面活性剤０．０１〜１．０重量％、溶剤０．１〜２０．０重量％及び揮発性アルカリ剤０．０１〜１０．０重量％を含有する、洗浄後の二度拭きの必要のない硬質表面洗浄剤組成物［但し１０ｃｐ以上（２５℃）に増粘された洗浄剤組成物を除く］であって、香料成分（Ｂ）と共に、」に、
（ａ−２）「香料可溶化剤（Ａ）を含むことを特徴とする」を「香料可溶化剤（Ａ）を含み、（Ａ）成分と（Ｂ）成分との重量比［（Ａ）／（Ｂ）］が１０／９０〜９５／５の範囲にあり、且つ（Ａ）成分と（Ｂ）成分との合計配合量が０．０１〜１．００重量％であることを特徴とする」に、
訂正する。
訂正事項ｂ
　特許請求の範囲の請求項２を削除する。
訂正事項ｃ
　発明の詳細な説明の記載について、段落番号【０００６】（以下段落番号を、単に【・・】で表す。）の
（ｃ−１）「香料成分（Ｂ）と共に、」を「界面活性剤０．０１〜１．０重量％、溶剤０．１〜２０．０重量％及び揮発性アルカリ剤０．０１〜１０．０重量％を含有する、洗浄後の二度拭きの必要のない硬質表面洗浄剤組成物［但し１０ｃｐ以上（２５℃）に増粘された洗浄剤組成物を除く］であって、香料成分（Ｂ）と共に、」に、
（ｃ−２）「香料可溶化剤（Ａ）を含むことを特徴とする」を「香料可溶化剤（Ａ）を含み、（Ａ）成分と（Ｂ）成分との重量比［（Ａ）／（Ｂ）］が１０／９０〜９５／５の範囲にあり、且つ（Ａ）成分と（Ｂ）成分との合計配合量が０．０１〜１．００重量％であることを特徴とする」に、
訂正する。
訂正事項ｄ
　発明の詳細な説明の記載について、【００１６】の「（Ａ）成分と（Ｂ）成分との重量比［（Ａ）／（Ｂ）］が好ましくは１０／９０〜９５／５、」を「（Ａ）成分と（Ｂ）成分との重量比［（Ａ）／（Ｂ）］が１０／９０〜９５／５、」に、　「上記（Ａ）成分と上記（Ｂ）成分との合計配合量が好ましくは０．０１〜１．００重量％、」を「上記（Ａ）成分と上記（Ｂ）成分との合計配合量が０．０１〜１．００重量％、」に、訂正する。
訂正事項ｅ
　発明の詳細な説明の記載について、【００２５】の「上記アルカリ剤としては、公知のいかなるものでも使用可能であるが、表面に対する後残りの問題から揮発性のものがよく、例えば、」を「上記アルカリ剤としては、表面に対する後残りの問題から揮発性のものが用いられ、例えば、」に訂正する。
（５４）【発明の名称】
洗浄剤組成物
（５７）【特許請求の範囲】
　【請求項１】　
界面活性剤０．０１〜１．０重量％、溶剤０．１〜２０．０重量％及び揮発性アルカリ剤０．０１〜１０．０重量％を含有する、洗浄後の二度拭きの必要のない硬質表面洗浄剤組成物〔但し１０ｃｐ以上（２５℃）に増粘された洗浄剤組成物を除く〕であって、
み、（Ａ）成分と（Ｂ）成分との重量比〔（Ａ）／（Ｂ）〕が１０／９０〜９５／５の範囲にあり、且つ（Ａ）成分と（Ｂ）成分との合計配合量が０．０１〜１．００重量％である
　【化２】
（式中、Ｒ２は水素原子、炭素数１〜３のアルキル基又はメトキシル基を示し、ｐは０〜２の数を示し、ｑは１〜５の数を示す。）
　【化３】
（式中、Ｒ３は水素原子又は炭素数１〜３のアルキル基を示し、Ｒ４は炭素数１〜３のアルキル基を示し、ｒは０〜５の数を示す。）
【発明の詳細な説明】
　【０００１】
　【産業上の利用分野】
　本発明は、香料成分が完全に溶解し、被洗浄物の生地臭や汚れの臭いをマスキングするのに十分な強さの香りが発現し且つ目的とする芳香を被洗浄物に賦香し得る、洗浄後の二度拭きの必要のない洗浄剤組成物に関する。
　【０００２】
　【従来の技術及び発明が解決しようとする課題】
　現在、家庭内においては、ガラス、床、家具、壁、鏡、畳など家庭内の様々なものを対象にした洗浄剤が使用されている。これらの洗浄剤は、その対象とする汚れによって様々な配合がとられているが、多くの場合、界面活性剤、溶剤、アルカリ剤などを主成分としており、その一般的な使用法は、原液もしくは水溶液を被洗浄物に塗布またはスプレーし、布などを用いて汚れを拭き取った後、界面活性剤などの洗浄成分が残ってべと付くのを防ぐために更に二度拭きを行うという方法がとられている。
　【０００３】
　このような手間を省き、使用時の時間短縮をはかるため、二度拭きの必要のない洗浄剤が開発され、多く使用されるに到っているが、このタイプの洗浄剤は、汚れを拭き取った後のべとつきを最小限に抑えるため界面活性剤などの洗浄成分の配合量がかなり低く抑えられており、そのため香料成分の溶解が困難となり、被洗浄物の生地臭や汚れの臭いをマスキングするのに十分な強さの香りを得ることや様々なタイプの香りを賦香することに制限が生じる問題があった。
　【０００４】
　従って、本発明の目的は、香料成分が完全に溶解し、被洗浄物の生地臭や汚れの臭いをマスキングするのに十分な強さの香りが発現し且つ目的とする芳香を被洗浄物に賦香し得る、洗浄後の二度拭きの必要のない洗浄剤組成物を提供することにある。
　【０００５】
　【課題を解決するための手段】
　本発明者らは、上記目的を達成すべく鋭意研究を行った結果、特定の化合物を配合することにより、界面活性剤等の洗浄成分の配合量が少なくても香料成分が完全に溶解した洗浄剤組成物が得られることを知見した。
　【０００６】
　本発明は、上記知見に基づきなされたもので、
界面活性剤０．０１〜１．０重量％、溶剤０．１〜２０．０重量％及び揮発性アルカリ剤０．０１〜１０．０重量％を含有する、洗浄後の二度拭きの必要のない硬質表面洗浄剤組成物〔但し１０ｃｐ以上（２５℃）に増粘された洗浄剤組成物を除く〕であって、
み、（Ａ）成分と（Ｂ）成分との重量比〔（Ａ）／（Ｂ）〕が１０／９０〜９５／５の範囲にあり、且つ（Ａ）成分と（Ｂ）成分との合計配合量が０．０１〜１．００重量％である
　【０００７】
　【０００８】
　【化５】
（式中、Ｒ２は水素原子、炭素数１〜３のアルキル基又はメトキシル基を示し、ｐは０〜２の数を示し、ｑは１〜５の数を示す。）
　【０００９】
　【化６】
（式中、Ｒ３は水素原子又は炭素数１〜３のアルキル基を示し、Ｒ４は炭素数１〜３のアルキル基を示し、ｒは０〜５の数を示す。）
　【００１０】
　以下、本発明の洗浄剤組成物について詳述する。
　【００１１】
　本発明の（Ａ）成分である香料可溶化剤の具体例としては、以下のものが挙げられる。
　【００１２】
　【００１３】
　（ｉｉ）上記化５で表される炭素数７〜１１のフェノキシ直鎖アルキルアルコール：
フェノキシメチルアルコール、フェノキシエチルアルコール、フェノキシプロピルアルコール、フェノキシブチルアルコール、フェノキシペンチルアルコール
　【００１４】
　（ｉｉｉ）上記化６で表される炭素数８〜１８の芳香族アルコール：
ジメチルフェニルエチルアルコール、α−メチルベンジルアルコール、フェニルイソプロピルアルコール、１−フェニル−３−メチル−３−ペンタノール
　【００１５】
　また、本発明の（Ｂ）成分である香料成分としては、香料として一般に用いられているすべての化合物を使用することが可能であり、具体例としては、リナロールなどのアルコール、ベンゾフェノンなどのケトン、シトラールなどのアルデヒド、酢酸リナリルなどのエステル、リモネンなどの炭化水素、シクロペンタデカノリドなどの合成ムスク系香料などが挙げられ、これらを一種又は２種以上組み合わせて用いられる。
　【００１６】
　これらの（Ａ）成分及び（Ｂ）成分は、（Ａ）成分と（Ｂ）成分との重量比〔（Ａ）／（Ｂ）〕
が１
が０
　【００１７】
　上記（Ａ）成分及び上記（Ｂ）成分を含む本発明の洗浄剤組成物は、洗浄成分として、この種の洗浄剤組成物に通常用いられる界面活性剤、溶剤及びアルカリ剤などの洗浄成分を含有する。これらの洗浄成分は、それぞれ単独に使用されるか、もしくは組み合わせて使用される。
　【００１８】
　上記界面活性剤としては、陰イオン性界面活性剤、非イオン性界面活性剤が好ましいが、必要に応じて、両性界面活性剤、陽イオン性界面活性剤も使用可能である。
　【００１９】
　上記陰イオン性界面活性剤としては、通常のスルホネート系陰イオン性界面活性剤、サルフェート系陰イオン性界面活性剤、カルボキシレート系陰イオン性界面活性剤などが使用される。上記スルホネート系陰イオン性界面活性剤としては、直鎖又は分岐鎖アルキル（Ｃ８〜Ｃ２２）ベンゼンスルホン酸塩、長鎖アルキル（Ｃ８〜Ｃ２２）スルホン酸塩、長鎖オレフィン（Ｃ８〜Ｃ２２）スルホン酸塩などがある。また、上記サルフェート系陰イオン性界面活性剤としては、長鎖モノアルキル（Ｃ８〜Ｃ２２）硫酸エステル塩、ポリオキシエチレン（１〜６モル）長鎖アルキル（Ｃ８〜Ｃ２２）エーテル硫酸エステル塩、ポリオキシエチレン（１〜６モル）アルキル（Ｃ８〜Ｃ１８）フェニルエーテル硫酸エステル塩などがある。また、上記カルボキシレート系陰イオン性界面活性剤としては、長鎖アルキル（Ｃ８〜Ｃ２２）脂肪酸塩、Ｎ−長鎖アルキロイル（Ｃ８〜Ｃ２２）サルコシンの塩などがある。これらの陰イオン性界面活性剤の対イオンとしての陽イオンは、ナトリウム、カリウムなどのアルカリ金属イオン、モノエタノールアミン、ジエタノールアミン、トリエタノールアミンなどのアルカノールアミンイオン等である。
　【００２０】
　また、上記非イオン性界面活性剤としては、ポリオキシエチレン（６〜３５モル）長鎖アルキル（第１級又は第２級Ｃ８〜Ｃ２２）エーテル、ポリオキシエチレン（６〜３５モル）アルキル（Ｃ８〜Ｃ１８）フェニルエーテル、ポリオキシエチレンポリオキシプロピレンブロックコポリマーなどが使用される。洗浄力の点から、ポリオキシエチレン（６〜３５モル）長鎖アルキル（第１級又は第２級Ｃ８〜Ｃ２２）エーテル、ポリオキシエチレン（６〜３５モル）アルキル（Ｃ８〜Ｃ１８）フェニルエーテルが好ましい。
　【００２１】
　また、上記両性界面活性剤としては、炭素数８〜２２のアルキル基を有する、カルボベタイン、スルホベタイン及びヒドロキシスルホベタインなどが挙げられる。
　【００２２】
　また、上記陽イオン性界面活性剤としては、炭素数１０〜２２のアルキル基又はアルケニル基を有する、モノ長鎖アルキルトリメチルアンモニウム塩、モノ長鎖アルキルジメチルベンジルアンモニウム塩などが挙げられる。
　【００２３】
　これらの界面活性剤の配合量は、０．０１〜１．０重量％が適当であり、より好ましくは０．１〜０．５重量％である。
　【００２４】
　また、上記溶剤としては、エタノール、プロパノールの如き炭素数１〜５の脂肪族の一価アルコール、エチレングリコール、プロピレングリコール、グリセリンの如き脂肪族多価アルコールなどが挙げられ、その配合量は、０．１〜２０．０重量％が適当であり、より好ましくは０．１〜８．０重量％である。
　【００２５】
　また、上記アルカリ剤としては
、表
用いられ
　【００２６】
　本発明の洗浄剤組成物には　更に必要により、防腐剤、防錆剤、顔料、蛍光剤などの種々の添加物を配合することができる。
　【００２７】
　本発明の洗浄剤組成物は、常法に従って製造することができ、主として、ガラス、床、家具、壁、鏡、畳などに適用される家具硬質表面洗浄剤などの洗浄剤として利用される。
　【００２８】
　また、本発明の洗浄剤組成物は、通常水溶液として用いられるが、この他、用途に応じて、ゲル、ローションなど、更にそれらをスプレー、エアゾールを使用したミスト、フォーム状などの形態とすることもできる。
　【００２９】
　【作用】
　本発明の洗浄剤組成物は、香料成分が完全に溶解しており、被洗浄物に適用された場合、被洗浄物の生地臭や汚れの臭いをマスキングするのに十分な強さの香りが発現し、また洗浄後の二度拭きの必要がない。
　【００３０】
　【実施例】
　以下に、実施例を挙げて本発明を詳細に説明するが、本発明はこれらの実施例に限定されるものではない。尚、実施例中の％は重量基準である。
　【００３１】
　実施例１
　【００３２】
　下記組成の洗浄剤組成物を常法により調製した。
　【００３３】
　＜組成＞
ポリオキシエチレン（７モル）アルキル（Ｃ１２）エーテル　０．５％
プロピレングリコールモノメチルエーテル　　　　　　　　　２．０％
エタノール　　　　　　　　　　　　　　　　　　　　　　　２．０％
モノエタノールアミン　　　　　　　　　　　　　　　　　　０．５％
香料可溶化剤（Ａ）及び香料成分（Ｂ）　　　　　　　　　　（表１）
水　　　　　　　　　　　　　　　　　　　　　　　　　　　バランス
　【００３４】
　上記の洗浄剤組成物について、香料成分の溶解性、及び生地臭や汚れの臭いのマスキング性を下記基準により評価した。その結果を下記表１に示す。
　【００３５】
　評価基準
＜香料の溶解性＞
○；完全に溶解、×；溶解せず（濁っている）
＜生地臭や汚れの臭いのマスキング性＞
○；十分にマスキング、×マスキング不足
　【００３６】
　【表１】
　【００３７】
　【発明の効果】
　本発明の洗浄剤組成物は、香料成分が完全に溶解し、被洗浄物の生地臭や汚れの臭いをマスキングするのに十分な強さの香りが発現し且つ目的とする芳香を被洗浄物に賦香し得る、洗浄後の二度拭きの必要のないものである。